(57)【要約】【課題】  調節した眼巾を簡単な操作で確実に固定しておくことのできる双眼鏡の眼巾固定装置を提供する。【解決手段】  連結軸１３に向けて各鏡筒１１ａ、１１ｂから延設した連結腕部１２ａ、１２ｂの端面１４ａ、１４ｂと対向するように設ける眼巾固定環２２と、この眼巾固定環を前記連結腕部端面に対して押圧する状態又は離隔する状態へとその変位を制御する眼巾固定ノブ２１とを備える。眼巾固定ノブをねじ込むんで眼巾固定環を締め付けると、この押圧状態にて眼巾固定環が左右鏡筒の連結腕部を相互に接合して、連結軸を介しての左右鏡筒の屈曲作動を拘束する。【選択図】  図３
2010256455.tif 000002
【特許請求の範囲】
【請求項１】
左右一対の鏡筒を、各鏡筒間に設けた連結軸を介して相互に屈曲可能に連結し、この連結軸を中心とする左右鏡筒間の屈曲角度に応じて眼巾を調節できるようにした双眼鏡に適用する眼巾固定装置であって、
前記連結軸に向けて各鏡筒から延設した連結腕部の端面と対向するように設ける眼巾固定部材と、この眼巾固定部材を前記連結腕部の端面に対して押圧する状態又は離隔する状態へとその変位を制御する操作部材とを備え、
前記眼巾固定部材は前記押圧状態にて前記左右鏡筒の連結腕部を相互に接合して、この接合状態にて前記連結軸を介しての左右鏡筒の屈曲作動を拘束するようにしたことを特徴とする双眼鏡の眼巾固定装置。
【請求項２】
前記請求項１において、
前記眼巾固定部材は、前記連結腕部の端面に対向するように、多数の係合突起を前記連結軸中心を包囲するように形成した環状部を備えると共に、前記押圧状態にて前記係合突起に係合する係合部を前記各連結腕部に形成する一方、
前記眼巾固定部材と前記操作部材との間には弾性部材を介装し、前記眼巾固定部材を前記連結腕部の方向に弾性的に付勢したことを特徴とする双眼鏡の眼巾固定装置。
【請求項３】
前記請求項１において、
前記眼巾固定部材は、前記連結腕部の端面に対向して、前記押圧状態にて前記左右連結腕部の端面に同時に当接する摩擦部材を備えることを特徴とする双眼鏡の眼巾固定装置。
【請求項４】
前記請求項１から請求項３の何れか１項において、
前記操作部材は、前記連結軸の軸端部にネジ係合し、このネジ上での回転に基づいて前記眼巾固定部材の前記押圧状態又は離隔状態への変位を制御するようにしたことを特徴とする双眼鏡の眼巾固定装置。
【請求項５】
前記請求項４において、
前記操作部材は、三脚アダプターを結合するために前記連結軸の軸端部に設けられたネジ穴に螺合するように形成したことを特徴とする双眼鏡の眼巾固定装置。
【請求項６】
前記請求項１から請求項５の何れか1項に記載の双眼鏡の眼巾固定装置を備えたことを特徴とする双眼鏡。
【発明の詳細な説明】
【技術分野】
【０００１】
この発明は、双眼鏡の眼巾を任意の位置に固定するための装置及びこの眼巾固定装置を備えた双眼鏡に関する。
【背景技術】
【０００２】
多くの双眼鏡は、使用者に合わせて眼巾つまり左右接眼鏡の中心間距離を調節できるようになっている。この眼巾調節のための典型的な構造として、例えば特許文献１に示されているように、双眼鏡の左右一対の鏡筒を各鏡筒間に設けた連結軸を介して相互に屈曲可能に連結し、この連結軸を中心とする左右鏡筒間の屈曲角度に応じて眼巾を調節できるようにしたものが知られている。
【先行技術文献】
【特許文献】
【０００３】
【特許文献１】特開平１０−２４６８５８
【発明の概要】
【発明が解決しようとする課題】
【０００４】
この種の眼巾調節機構では、一般的に連結軸の締め付け部分に発生させた摩擦力に基づいて眼巾を保持するようになっている。これにより、使用者は任意の位置に容易に眼巾を調節できると共に、その位置に眼巾を固定しておくことができるわけである。
【０００５】
しかしながら、その反面、眼巾の固定を摩擦力に依存していることから、使用中の力加減など何かの拍子で眼巾が変化してしまうおそれがあり、特に長期使用等に伴って連結軸の締め付けが甘くなってくると眼巾が変化し易くなり、例えば野鳥観察などの際に片手で一方の鏡筒を保持した状態で観察をしようとすると、他方の鏡筒が自重で下がってきてしまい眼巾が動いてしまうといった不都合を生じる。
【０００６】
また、従来の双眼鏡では使用者に合った眼巾に速やかに調節できるように連結軸の端部（いわゆる陣笠部）などに目盛りを設けて眼巾調節の目安にできるようにしている。しかしながら、このような目盛りだけでは微妙な眼巾調節は困難であり、また天体観測などの夜間使用においては目盛りそのものが視認し難いという問題がある。
【課題を解決するための手段】
【０００７】
請求項１の発明は、
左右一対の鏡筒を、各鏡筒間に設けた連結軸を介して相互に屈曲可能に連結し、この連結軸を中心とする左右鏡筒間の屈曲角度に応じて眼巾を調節できるようにした双眼鏡に適用する眼巾固定装置であって、
前記連結軸に向けて各鏡筒から延設した連結腕部の端面と対向するように設ける眼巾固定部材と、この眼巾固定部材を前記連結腕部の端面に対して押圧する状態又は離隔する状態へとその変位を制御する操作部材とを備え、
前記眼巾固定部材は前記押圧状態にて前記左右鏡筒の連結腕部を相互に接合して、この接合状態にて前記連結軸を介しての左右鏡筒の屈曲作動を拘束するようにしたことを特徴とする双眼鏡の眼巾固定装置である。
請求項２の発明は、前記請求項１において、
前記眼巾固定部材を、前記連結腕部の端面に対向するように、多数の係合突起を前記連結軸中心を包囲するように形成した環状部を備えると共に、前記押圧状態にて前記係合突起に係合する係合部を前記各連結腕部に形成する一方、
前記眼巾固定部材と前記操作部材との間には弾性部材を介装し、前記眼巾固定部材を前記連結腕部の方向に弾性的に付勢した双眼鏡の眼巾固定装置である。
請求項３の発明は、前記請求項１において
前記眼巾固定部材を、前記連結腕部の端面に対向して、前記押圧状態にて前記左右連結腕部の端面に同時に当接する摩擦部材を備える双眼鏡の眼巾固定装置である。
請求項４の発明は、前記請求項１から請求項３の何れかにおいて、
前記操作部材を、前記連結軸の軸端部にネジ係合し、このネジ上での回転に基づいて前記眼巾固定部材の前記押圧状態又は離隔状態への変位を制御するようにした双眼鏡の眼巾固定装置である。
請求項５の発明は、前記請求項４において、
前記操作部材を、三脚アダプターを結合するために前記連結軸の軸端部に設けられたネジ穴に螺合するように形成した双眼鏡の眼巾固定装置である。
請求項６の発明は、前記請求項１から請求項５の何れか１項に記載の双眼鏡の眼巾固定装置を備えた双眼鏡である。
【発明の効果】
【０００８】
前記請求項１以下の各発明において、操作部材を操作して固定部材を双眼鏡の連結腕部から離隔するようにした状態では、各鏡筒の連結腕部はその連結軸を中心とした屈曲作動を拘束されないので、使用者は従来の双眼鏡と同様にして眼巾調節を行うことができる。この状態から、操作部材を操作して固定部材を連結腕部に押圧する押圧状態へと変位させると、固定部材を介して左右鏡筒の連結腕部が相互に接合して互いの屈曲動作を拘束する状態となるので、この状態からの左右鏡筒間の不意の屈曲を防止して、使用者が調節した眼巾を確実に固定することができる。
【０００９】
このようにして一度眼巾を固定すると、再び操作部材を操作して固定部材を離隔可能な状態にしない限りは、双眼鏡は使用者が設定した一定の眼巾に固定されるので、例えば夜間の天体観測時など眼巾調節が煩わしい条件下での双眼鏡使用が予定される場合には、使用前に予め眼巾調節してこれを固定しておくことで、使用中の眼巾変動を確実に防止して、双眼鏡を快適に使用し続けることができる。
【００１０】
請求項２以下の各発明による固有の効果については、以下の実施形態の説明において該当する構成の説明部分にて述べることとする。
【図面の簡単な説明】
【００１１】
【図１】この発明による双眼鏡の眼巾固定装置の第１の実施形態の組立状態を示す斜視図。
【図２】図１の眼巾固定装置を双眼鏡に取り付ける状態を示す斜視図。
【図３】図１の眼巾固定装置を双眼鏡に取り付けた状態を示す要部縦断面図。
【図４】この発明による眼巾固定装置の第２の実施形態を双眼鏡に取り付けた状態を示す要部縦断面図。
【図５】この発明による眼巾固定装置の第３の実施形態の縦断面図。
【図６】この発明による眼巾固定装置の取付け位置を例示するための双眼鏡の上面図。
【図７】この発明による眼巾固定装置を備えた双眼鏡の一実施形態の上面図。
【発明を実施するための形態】
【００１２】
以下、この発明による双眼鏡の眼巾固定装置のいくつかの実施形態につき図面を参照しながら説明する。なお各実施形態間で共通する部分には同一の符号を付して示すこととする。
【００１３】
図１〜図３はこの発明による眼巾固定装置の第１の実施形態を示している。図において、１は双眼鏡を、２は眼巾固定装置を示している。双眼鏡１は、左眼用の鏡筒１１ａと右眼用の鏡筒１１ｂのそれぞれから対向的に延設した連結腕部１２ａと１２ｂとを、光軸中心線と並行に位置するように各鏡筒間に設けた連結軸１３（図３参照）を介して相互に連結してなり、連結軸１３を中心として左右の鏡筒１１ａ、１１ｂを屈曲作動させることにより眼巾調節ができるように構成された一般的な構造のものである。なお、図では双眼鏡１はその一部のみを示しており、各鏡筒１１ａ、１１ｂの外観や構造は略図として描いてある。
【００１４】
眼巾固定装置２は、図１又は図３に示したように、眼巾固定ノブ２１、眼巾固定環２２、コイルスプリング２３、抜け止めリング２４からなっている。この発明との関係では、眼巾固定ノブ２１が眼巾操作部材、眼巾固定環２２が眼巾固定部材、コイルスプリング２３が弾性部材に相当する。
【００１５】
眼巾固定ノブ２１は、外周部に滑り止めの凹凸形状を設けた円筒状のノブ本体２１ａと、その中央部から軸方向に延設したボルト部２１ｂとからなる。ボルト部２１ｂは先端部付近にのみ雄ネジ部２１ｃを形成し、途中から基端に至るまでの首部分は前記雄ネジ部２１ｃの内径部と同程度又はやや細径の円筒状部２１ｄを所定の長さにわたって形成してある。
【００１６】
眼巾固定環２２は、形状としては、前記ノブ本体２１ａと略同一外径を有する大径部２２ａと、これよりもやや外径の小さい小径部２２ｂとをテーパ部２２ｃを介してそれぞれ同一中心線上に位置するように連接した段付き円筒状をしており、その円筒形状の中心部には貫通孔２２ｄ（図３参照）を設けてある。大径部２２ａは、図３に示したように、双眼鏡１への装着状態で連結腕部１２ａ、１２ｂの端面１４ａ、１４ｂ（この場合、対物側の端面）に対向する端面部に、多数の係合突起２２ｅを、連結軸１３の中心線を包囲するように配設してなる環状部２２ｆを備える。この場合、係合突起２２ｅとしては、三角形断面の突条を放射状に多数設けた構成のセレーションを形成してある。一方、固定環２２の小径部２２ｂには、眼巾固定ノブ２１に対向する端面に、貫通孔２２ｄを包囲するように、コイルスプリング２３を収容する所定深さの環状溝２２ｇを形成してある。
【００１７】
眼巾固定環２２の貫通孔２２ｄは、ボルト部２１ｂの雄ネジ部２１ｃと螺合する雌ネジとなっている。この眼巾固定装置２は、眼巾固定ノブ２１と眼巾固定環２２との間にコイルスプリング２３を介装した状態で、ボルト部２１ｂを雌ネジである貫通孔２２ｄにねじ込んでゆくことで組み立てられる。ボルト部２１ｂの雄ネジ部２１ｃをある程度貫通孔２２ｄにねじ込んでゆくと、この雄ネジ部２１ｃが貫通孔２２ｄを脱したところで貫通孔２２ｄがボルト部２１ｂの円筒状部２１ｄと嵌合する状態になる。この状態では眼巾固定環２２は軸方向への移動を制限されつつ眼巾固定ノブ２１との間で相対回転可能である。ただし、ボルト部２１ｂの円筒状部２１ｄは、眼巾固定環２２の貫通孔２２ｄよりも所定長さｄ（図３参照）だけ長く形成してあるので、その分だけ軸方向への変位が許容される。前記所定長さｄは、前述した係合突起２２ｅの突条の高さよりも大きい。また、この組立て状態ではボルト部２１ｂの雄ネジ部２１ｃが、眼巾固定環２２の大径部２２ａ（環状部２２ｆ）の端面よりも軸方向に突出するようにボルト部２１ｂの長さを決めてある。
【００１８】
前述の組立て状態ではボルト部２１ｂの雄ネジ部２１ｃが雌ネジ状の貫通孔２２ｄに対して抜け止めとなるので、通常は眼巾固定ノブ２１が眼巾固定環２２から抜け落ちてしまうことはない。ただし、例えば後述する双眼鏡１への装着時には、眼巾固定環２２が回転を拘束された状態で眼巾固定ノブ２１を緩み方向に回転させると、コイルスプリング２３の張力が作用しているので、そのままでは雄ネジ部２１ｃと貫通孔２２ｄのねじ部同士が係合して、眼巾固定ネジ２１が抜け出てきてしまう可能性がある。そこで、この実施形態では、雄ネジ部２１の基部に抜け止めリング２４を嵌装して、前述のような抜け出し現象を防止するようにしている。抜け止めリング２４としてこの実施形態ではＯリングを適用しているが、この他に例えばＣリングやＥリングなどのスナップリングを適用することもできる。
【００１９】
双眼鏡１の連結軸１３の対物側の端部には、図２又は図３に示したように、同軸的に雌ネジ部１３ａを形成してある。この雌ネジ部１３ａは、眼巾固定装置２の眼巾固定ノブ２１に設けたボルト部２１ｂ（雄ネジ部２１ｃ）と螺合するように同一規格のネジで形成してある。また、左右連結腕部の端面１４ａ、１４ｂには、雌ネジ部１３ａを包囲するように、眼巾固定環２２の係合突起２２ｅと係合する突起状の係合部１５ａ、１５ｂをそれぞれ形成してある。係合部１５ａ、１５ｂは、環状の係合突起２２ｅと対応するようにそれぞれ円弧状に配列された多数の三角形状の突条からなる。この場合、前記係合部１５ａ、１５ｂはそれぞれ連結腕部端面１４ａ、１４ｂに一体的に形成してあるが、これらを別部品として形成し、例えば接着やネジ止めにより連結腕部端面１４ａ、１４ｂに取り付けるようにしてもよい。また、眼巾固定時の確実性及び強度が許す限り、前記係合部１５ａ又は１５ｂはそれぞれより少ない数、例えば最小限１個の突条であってもよい。
【００２０】
次に、この眼巾固定装置２の使用要領について説明すると、まず前述した組立て状態の眼巾固定装置２を、図２又は図３に示したように、そのボルト部２１ｂを連結軸１３の雌ネジ部１３ａにねじ込むことで双眼鏡１に装着する。このとき、眼巾固定ノブ２１をその回転が止まるところまで締め込むと、眼巾固定ノブ２１と双眼鏡１の連結腕部端面１４ａ、１４ｂの間に眼巾固定環２２が固定されてその軸方向への移動が拘束された状態（押圧状態）になる。この状態では、眼巾固定環２２の係合突起２２ｅと、連結腕部端面上の係合部１５ａ、１５ｂとが相互に噛み合って相対回転を拘束するので、連結軸１３を中心とする左右鏡筒１１ａ、１１ｂの屈曲作動を行うことはできず、即ち眼巾は固定される。
【００２１】
前述の眼巾を固定した状態から眼巾調節が可能な状態にするには２通りの方法がある。第１には、眼巾固定ノブ２１を緩み方向に回転させて、係合突起２２ｅと係合部１５ａ、１５ｂとの噛み合いが外れる位置まで眼巾固定環２２を移動させる方法である。眼巾固定環２２はコイルスプリング２３により係合部１５ａ、１５ｂの方向に付勢されているが、この付勢力による変位量は抜け止めリング２４を介して制約されているので、眼巾固定ノブ２１を緩めてゆくと途中から眼巾固定ノブ２１と共に眼巾固定環２２が軸方向に移動して、前述のように係合突起２２ｅと係合部１５ａ、１５ｂとの係合を外すことができる。これにより、眼巾固定環２２を介しての左右連結腕部１４ａ、１４ｂの係合状態が解かれるので、鏡筒１１ａ、１１ｂを連結軸１３を中心として屈曲作動させることによる眼巾調節が可能になる。
【００２２】
眼巾固定状態から眼巾調節を可能にするための第２の方法は、前述した押圧状態から眼巾固定ノブ２１を途中まで緩めて、眼巾固定環２２がコイルスプリング２３の張力のみで連結腕部１４ａ、１４ｂに当接する状態にする方法である。このときに眼巾固定ノブ２１を緩める量は、緩めてゆく過程でノブ２１に追従して眼巾固定環２２が移動し始める直前の位置、又は眼巾固定装置２を双眼鏡１に取り付ける際に、眼巾固定ノブ２１の締め付けの過程で眼巾固定環２２が連結腕部端面１４ａ、１４ｂに当接し始める位置（図３に示した位置）を目安とする。この状態で左右の鏡筒１１ａ、１１ｂを持って屈曲作動させようとすると、このときに眼巾固定環２２の係合突起２２ｅと係合部１５ａ、１５ｂとの間に生じる軸方向力に基づき、眼巾固定環２２がコイルスプリング２３の張力に抗して連結腕部端面１４ａ、１４ｂから離隔する方向に移動するので、係合突起２２ｅと係合部１５ａ、１５ｂが互いの突条を乗り越えながら相対回転することが可能になる。これにより、左右鏡筒１１ａ、１１ｂを屈曲作動させることによる眼巾調節が可能になる。この第２の方法によれば、前述したように係合突起２２ｅと係合部１５ａ、１５ｂが互いの突条を乗り越える際にいわゆるクリック音を生じる。使用者が眼巾調節する際には、このクリック音の回数を目安として調節量を決めることができるので、例えば夜間であっても眼巾目盛りを確認することなく使用者に合った眼巾に速やかに調節できるなど、より良い操作性が得られる。
【００２３】
この実施形態では、眼巾固定環２２を双眼鏡１の連結腕部端面１４ａ、１４ｂに対して前述のように押圧し又は離隔する状態に制御するために、眼巾固定ノブ２１をボルト部２１ｂと雌ネジ１３ａとによるネジ係合を介して進退させる構成としている。このようなネジ係合の構造は簡潔で作動性がよいという利点があることに加えて、双眼鏡への適用がより容易になるという利点もある。即ち、多くの双眼鏡はその連結軸の一端部（通常は対物側の端部）に、双眼鏡を三脚に固定するための三脚アダプター（「双眼鏡ホルダー」ともいう。）を固定する共通規格のネジ穴を初めから備えている。このような双眼鏡においては、そのネジ穴を前記雌ネジ部１３ａとして利用できるので、連結腕部１４ａ、１４ｂに係合部１５ａ、１５ｂを設けるという最小限の改造のみで前記眼巾固定装置２を適用することが可能である。なお、前記三脚アダプターは周知のものであって、その典型例が特許文献１の図６に「取付治具２１」として示されている。
【００２４】
ところで、この実施形態では眼巾固定環２２の係合突起２２ｅを環状部２２ｆに全周的に設けると共に、この係合突起２２ｅと係合する２つの係合部１５ａ、１５ｂをそれぞれ左右の連結腕部１２ａ、１２ｂに設けているが、係合部１５ａ又は１５ｂについては何れか一方のみでもよく、係合突起２２ｅについても係合させる必要のある角度範囲（眼巾調節のために必要な屈曲角度の範囲）にわたって限定的に設けたものであってもよい。図４はそのように構成した第２の実施形態を示している。
【００２５】
図４において、この眼巾固定装置２は、一方の鏡筒１１ａの連結腕部端面１４ａにのみ突起部１５ａを設け、これと係合する眼巾固定環２２の係合突起２２ｅを前述の通り必要な角度範囲についてのみ環状部２２ｆに設けてある。また、他方の鏡筒１１ｂについては、その連結腕部端面１４ｂに連結軸１３と並行にピン穴１５を設けると共に、このピン穴１６に摺動自由に嵌合するピン２６を眼巾固定環２２の環状部２２ｆに設けている。この実施形態によれば、眼巾固定環２２が鏡筒１１ｂに対してはピン２６とピン穴１６との嵌合に基づいて常時回り止めされた状態であるが、鏡筒１１ａに対しては前記第１の実施形態と同様にして眼巾固定ノブ２１の操作に基づき連結軸１３を中心とする左右鏡筒間の屈曲作動を拘束し又は開放する機能を発揮するので、眼巾の固定又はその解除が可能である。なお、双眼鏡に対して眼巾固定装置２の着脱を頻繁に行う場合には、双眼鏡への装着時に眼巾固定環２２の位置決めをする必要の無い第１の実施形態の構成が有利である。
【００２６】
図５はこの発明の第３の実施形態を示している。これは眼巾固定環２２の環状部２２ｆに環状の摩擦部材２７を設け、眼巾固定環２２を押圧状態としたときの摩擦部材２７と双眼鏡（連結腕部端面１４ａ、１４ｂ。図３参照。）との間に生じる摩擦力に基づいて眼巾固定を図るようにしたものである。摩擦部材２７としては、例えばゴム、皮革、軟質の合成樹脂材など、双眼鏡の連結腕部端面に押圧したときに所要の摩擦力を生じる材料を適用する。この実施形態においては、コイルスプリング２３は必ずしも設ける必要はなく、また摩擦部材２７を設ける代わりに、眼巾固定環２２自体をゴムなどの高摩擦係数の材料で形成するようにしてもよい。この実施形態によれば、双眼鏡側に前述の実施形態で示したような係合部（１５ａ、１５ｂ）を必ずしも設ける必要がないので、三脚アダプターを固定するためのネジ穴を備えた双眼鏡であれば、何らの改造を要することなく適用することができる。また、眼巾固定ノブ２１の締め付け量に応じて左右連結腕部に対する摩擦力を加減できるので、例えば長期使用により連結軸の締め付けが甘くなってしまった双眼鏡に適用することにより、適度な摩擦力を付与して眼巾調節時の操作感を改善することもできる。
【００２７】
前述した各実施形態は、眼巾固定装置２を双眼鏡の対物側の連結腕部端面に装着する例として説明してきたが、もちろん装着位置はこれに限られるものではない。例えば左右鏡筒の連結軸部分にフォーカスリングなどの焦点調節機構を持たない、いわゆるＩＦ方式の双眼鏡では、図６に示したように双眼鏡１の鏡筒１１ａ、１１ｂの対物側に位置する連結腕部１２ａ、１２ｂと接眼側に位置する連結腕部１２ｃ、１２ｄとの間に大きなスペースを有することがあり、このような構造においては各連結腕部１２ａ、１２ｂ又は１２ｃ、１２ｄの前後端面（図の矢印Ａ，Ｂ，Ｃ，Ｄで示した位置）の何れにも眼巾固定装置２を装着することが可能である。
【００２８】
また、前記各実施形態は眼巾固定装置２を双眼鏡１に対して着脱自在に構成した例を示したものであるが、もちろんこの発明に係る眼巾固定装置は図７に示したように双眼鏡に作り付けの構造としてもよい。図７に示した双眼鏡１は、いわゆるＣＦ方式であり、連結軸１３と同軸的に設けたフォーカスリング１７を回転させることにより左右の接眼部１８ａ、１８ｂを同時に前後移動させて焦点調節を行うようにしたものである。この種の双眼鏡１では、２組の連結腕部１２ａ、１２ｂと１２ｃ、１２ｄとの間に連結軸１３と同軸的に中空軸１９を設け、この中空軸１９に送りネジ機構などからなる前述した焦点調節のための機構を内蔵させている。この実施形態では、対物側の連結腕部１２ａ、１２ｂの内側端面に対向するように前記中空軸１９と同軸的に眼巾固定装置２を組み付けている。この場合、前記中空軸１９の外周部に形成したネジとの係合に基づいて眼巾固定ノブ２１を進退させるようにすれば、図１〜図３等に示した実施形態と同様にして眼巾固定環２２の変位を制御して眼巾の固定又はその解除を行うことができる。
【００２９】
なお、前記各実施形態は、眼巾固定環を連結腕部の端面に対して押圧する状態又は離隔する状態へとその変位を制御するために、眼巾固定ノブをネジ係合に基づいて進退させるようにした例を示したものであるが、このような作用を得るための手段はネジ機構に限られるものではなく、例えばカム機構やクランプ機構を適用することも可能である。前記の点をも含めて、各実施形態はこの発明のいくつかの構成例を示したものであるに過ぎず、この発明の技術的範囲がこれら実施形態の内容に限定されるものではないことは言うまでもない。
【符号の説明】
【００３０】
１                双眼鏡
１１ａ，１１ｂ    鏡筒
１２ａ，１２ｂ    連結腕部（対物側）
１２ｃ，１２ｄ    連結腕部（接眼側）
１３              連結軸
１３ａ            雌ネジ部（ネジ穴）
１４ａ，１４ｂ    連結腕部端面
１５ａ，１５ｂ    係合部
１６              ピン穴
１７              フォーカスリング
１８ａ，１８ｂ    接眼部
１９              中空軸
２                眼巾固定装置
２１              眼巾固定ノブ
２１ａ            ノブ本体
２１ｂ            ボルト部
２１ｃ            雄ネジ部
２１ｄ            円筒状部
２２              眼巾固定環
２２ａ            大径部
２２ｂ            小径部
２２ｃ            テーパ部
２２ｄ            貫通孔（雌ネジ）
２２ｅ            係合突起
２２ｆ            環状部
２２ｇ            環状溝
２３              コイルスプリング（弾性部材）
２４              抜け止めリング（Ｏリング）
２６              ピン
２７              摩擦部材
【図１】
2010256455.tif 000003
【図２】
2010256455.tif 000004
【図３】
2010256455.tif 000005
【図４】
2010256455.tif 000006
【図５】
2010256455.tif 000007
【図６】
2010256455.tif 000008
【図７】
2010256455.tif 000009